(57)【要約】【課題】良好な表示性能を有する表示部が宙に浮いたように視認されるディスプレイ装置を実現する。【解決手段】ディスプレイ装置１００において、表示装置２を透明な支持体３で支持することによって、その表示装置２が宙に浮いたように視認されるようになり、表示装置２の存在を際立たせるデザイン性を向上させた。また、表示装置２と装置本体１とを繋ぐ電源線４が目立ち難いように支持体３の側面に沿って配することと、表示装置２で表示する映像などに関する信号は、その信号を含む光を伝送する光伝送方式によって装置本体１から支持体３を通じて伝送することにより、表示装置２に対する電力供給や信号伝送を安定させことを可能にし、表示装置２における映像の表示性能を低下させることなく、表示装置２が宙に浮いたようなデザイン性を好適に維持するようにした。【選択図】図５
2011064932.tif 000002
【特許請求の範囲】
【請求項１】
映像に関する信号を処理する信号処理部と、
前記信号処理部により処理された前記信号に応じた映像を表示する表示部と、
前記信号処理部に接続されて、前記表示部を支持する支持体と、
を備え、
前記支持体は光透過性を有し、
前記信号処理部は、前記信号を含む光を前記支持体に向けて出力する投光部を有し、
前記表示部は、前記支持体中を導光された前記光が入力される受光部を有し、前記受光部で受光した前記光に含まれる前記信号に応じた映像を表示することを特徴とするディスプレイ装置。
【請求項２】
前記信号処理部と前記表示部とを繋いで一方から他方への電力の供給を行う電源線は、前記支持体の側面に沿って配されることを特徴とする請求項１に記載のディスプレイ装置。
【請求項３】
前記電源線は、前記支持体の一方の側面に沿って配され、他方の側面には遮光性部材が配されることを特徴とする請求項２に記載のディスプレイ装置。
【請求項４】
前記電源線は一対の導電線からなり、一方の導電線が前記支持体の一方の側面に沿って配され、他方の導電線が前記支持体の他方の側面に沿って配されることを特徴とする請求項２に記載のディスプレイ装置。
【請求項５】
前記表示部は、前記支持体に回動可能に備えられ、縦向きと横向きとに配置が切り替えられることを特徴とする請求項１〜４の何れか一項に記載のディスプレイ装置。
【請求項６】
映像に関する信号を処理する信号処理部と、
前記信号処理部により処理された前記信号に応じた映像を表示する表示部と、
前記信号処理部に接続されて、前記表示部を支持する支持体と、
前記信号処理部と前記表示部とを繋いで一方から他方への電力の供給を行う電源線と、
を備え、
前記支持体は光透過性を有し、
前記電源線は一対の導電線からなり、一方の導電線が前記支持体の一方の側面に沿って配され、他方の導電線が前記支持体の他方の側面に沿って配され、
前記信号処理部は、前記信号を含む光を前記支持体に向けて出力する投光部を有し、前記表示部は、前記投光部から出力されて前記支持体中を導光された前記光が入力される受光部を有し、
前記表示部は、縦向きと横向きとに配置が切り替えられるように前記支持体に回動可能に備えられるとともに、前記受光部で受光した前記光に含まれる前記信号に応じた映像を表示することを特徴とするディスプレイ装置。
【発明の詳細な説明】
【技術分野】
【０００１】
本発明は、ディスプレイ装置に関する。
【背景技術】
【０００２】
従来、映像などを表示する表示部を透明な支持体で支持することによって、表示部が宙に浮いたように視認されるようにしたディスプレイ装置が知られている（例えば、特許文献１参照。）。
このディスプレイ装置では、ＩＴＯなどの透明電極を支持体に設けて、その透明電極に電力線を繋いで電源からの電力を表示部に供給したり、透明電極に信号線を繋いで映像信号を表示部に伝送したりするようになっている。
【先行技術文献】
【特許文献】
【０００３】
【特許文献１】特開２００４−２７９５６２号公報
【発明の概要】
【発明が解決しようとする課題】
【０００４】
しかしながら、上記特許文献１の場合、ＩＴＯなどの透明電極では、電力の供給や信号の伝送が不安定になってしまうことがあり、ディスプレイ装置の表示性能が低下してしまう恐れがあった。
また、透明電極であっても、安定した電力供給や信号伝送のために支持体の広範囲に亘って配線してしまうと、支持体の透明性が低下してしまうことがあり、表示部の浮いた感が損なわれることがあるという問題があった。
【０００５】
本発明の目的は、良好な表示性能を有する表示部が宙に浮いたように視認されるディスプレイ装置を提供することである。
【課題を解決するための手段】
【０００６】
以上の課題を解決するため、請求項１に記載の発明は、
映像に関する信号を処理する信号処理部と、
前記信号処理部により処理された前記信号に応じた映像を表示する表示部と、
前記信号処理部に接続されて、前記表示部を支持する支持体と、
を備えるディスプレイ装置であって、
前記支持体は光透過性を有し、
前記信号処理部は、前記信号を含む光を前記支持体に向けて出力する投光部を有し、
前記表示部は、前記支持体中を導光された前記光が入力される受光部を有し、前記受光部で受光した前記光に含まれる前記信号に応じた映像を表示することを特徴とする。
【０００７】
請求項２に記載の発明は、請求項１に記載のディスプレイ装置において、
前記信号処理部と前記表示部とを繋いで一方から他方への電力の供給を行う電源線は、前記支持体の側面に沿って配されることを特徴とする。
【０００８】
請求項３に記載の発明は、請求項２に記載のディスプレイ装置において、
前記電源線は、前記支持体の一方の側面に沿って配され、他方の側面には遮光性部材が配されることを特徴とする。
【０００９】
請求項４に記載の発明は、請求項２に記載のディスプレイ装置において、
前記電源線は一対の導電線からなり、一方の導電線が前記支持体の一方の側面に沿って配され、他方の導電線が前記支持体の他方の側面に沿って配されることを特徴とする。
【００１０】
請求項５に記載の発明は、請求項１〜４の何れか一項に記載のディスプレイ装置において、
前記表示部は、前記支持体に回動可能に備えられ、縦向きと横向きとに配置が切り替えられることを特徴とする。
【００１１】
請求項６に記載の発明は、
映像に関する信号を処理する信号処理部と、
前記信号処理部により処理された前記信号に応じた映像を表示する表示部と、
前記信号処理部に接続されて、前記表示部を支持する支持体と、
前記信号処理部と前記表示部とを繋いで一方から他方への電力の供給を行う電源線と、
を備えるディスプレイ装置であって、
前記支持体は光透過性を有し、
前記電源線は一対の導電線からなり、一方の導電線が前記支持体の一方の側面に沿って配され、他方の導電線が前記支持体の他方の側面に沿って配され、
前記信号処理部は、前記信号を含む光を前記支持体に向けて出力する投光部を有し、前記表示部は、前記投光部から出力されて前記支持体中を導光された前記光が入力される受光部を有し、
前記表示部は、縦向きと横向きとに配置が切り替えられるように前記支持体に回動可能に備えられるとともに、前記受光部で受光した前記光に含まれる前記信号に応じた映像を表示することを特徴とする。
【発明の効果】
【００１２】
本発明によれば、ディスプレイ装置は、光透過性を有する透明な支持体で表示部を支持しているので、その表示部が宙に浮いたように視認されるようになり、表示部の存在を際立たせるデザイン性が向上する。また、表示部で表示する映像などに関する信号は、その信号を含む光を伝送する光伝送方式で行われるようになっており、表示部に対する信号伝送は安定したものであるので、表示部における映像の表示性能を低下させることなく、良好な映像表示を可能にする。
つまり、ディスプレイ装置は、信号処理部の投光部から信号を含む光を出力して、支持体を通じて光伝送された光を、表示部の受光部に入力させることで、その光に含まれる信号に応じた映像を表示部に表示することができるので、表示部における映像の表示性能を維持しつつ、表示部が宙に浮いたように視認させることができる。
【図面の簡単な説明】
【００１３】
【図１】本発明に係るディスプレイ装置を示す斜視図である。
【図２】本発明に係るディスプレイ装置を示す側面図である。
【図３】表示装置の配置を切り替えたディスプレイ装置を示す斜視図である。
【図４】本発明に係るディスプレイ装置の要部構成を示すブロック図である。
【図５】光導波路としての支持体と、投光部および受光部を示す説明図である。
【図６】光導波路としての支持体と、投光部および受光部の変形例を示す説明図である。
【発明を実施するための形態】
【００１４】
以下、本発明の実施の形態について図面を参照しながら説明する。なお、発明の範囲は図示例に限定されない。
【００１５】
ディスプレイ装置１００は、図１に示すように、映像に関する信号を処理する信号処理部である装置本体１と、装置本体１により処理された信号に応じた映像を表示する表示部である表示装置２と、装置本体１に接続されて表示装置２を支持する支持体３と、を備えている。
本実施形態のディスプレイ装置１００は、光透過性を有する透明な支持体３によって表示装置２を支持することにより、表示装置２が宙に浮いたように視認されるデザインとした装置である。特に、光透過性を有する支持体３を光導波路として利用することで、装置本体１で処理した信号を含む光を光導波路である支持体３を通じて導光させて表示装置２に伝送し、その光に含まれる信号に応じた映像を表示装置２において表示する装置である。
【００１６】
支持体３は、例えば、アクリル、ガラスなど光透過性を有する材料で形成されており、表示装置２を支える強度が得られる厚みを有する板状部材である。
この支持体３の側面には、図１、図２に示すように、装置本体１と表示装置２とを繋いで装置本体１から表示装置２へ電力の供給を行う電源線４が配設されている。これは光透過性を有する支持体３であっても、その板状部材の側面は着色があるように視認されてしまうので、その側面に沿って電源線４を配するようにすることで電源線４を目立ち難くして、表示装置２の宙に浮いた感が損なわれないようにしている。
なお、電源線４は一対の導電線４１、４２からなり、一方の導電線４１が支持体３の一方の側面に沿って配され、他方の導電線４２が支持体３の他方の側面に沿って配されている。導電線４１、４２は、フラットワイヤなど帯状で薄いタイプの配線であることが好ましい。
また、導電線４１と導電線４２に分割できない電源線４の場合、電源線４を支持体３の一方の側面に沿って配し、支持体３の他方の側面には電源線に類似した色や形状を呈する遮光性部材を配するようにする。
支持体３の両側面を、一対の導電線４１、４２で覆うことや、電源線４と遮光性部材で覆うことにより、支持体３の光導波路としての機能が安定する。
【００１７】
また、表示装置２は、回動軸２３を介して支持体３に回動可能に連結されており、図１、図３に示すように、表示装置２の配置を横向きと縦向きとに切り替えることができる。
なお、表示装置２の一部である回動軸２３の内部を通じて、電源線４の一端が表示装置２に接続され、他端が装置本体１に接続されている。
【００１８】
以下、より具体的にディスプレイ装置１００の構成について説明する。
【００１９】
まず、装置本体１について説明する。
装置本体１は、図４に示すように、アンテナ１１ａに接続されたチューナ１１と、信号復調部１２と、録画制御部１３と、ＨＤＤ（Hard Disk Drive）１４と、出力制御部１５と、ＯＳＤ回路１６と、投光部１ａと、リモコン１８ａ及びリモコン受信部１８と、メモリ部１９と、ディスクドライブ装置３０と、制御部２０等を備えて構成されている。
【００２０】
制御部２０は、ディスプレイ装置１００を構成する各部を集中制御する。
具体的には、制御部２０は、例えば、図４に示すように、ＣＰＵ（Central Processing Unit）２０１と、ＲＡＭ（Random Access Memory）２０２と、計時部２０３と、記憶部２０４等を備えて構成される。
ＣＰＵ２０１は、例えば、記憶部２０４に記憶されたディスプレイ装置１００用の各種処理プログラムに従って各種の制御動作を行う。
ＲＡＭ２０２は、例えば、ＣＰＵ２０１によって実行される処理プログラムなどを展開するためのプログラム格納領域、入力データや上記処理プログラムが実行される際に生じる処理結果などを格納するデータ格納領域等を備える。
計時部２０３は、例えば、計時した現在日時データを、ＣＰＵ２０１に出力する。
記憶部２０４は、例えば、ディスプレイ装置１００で実行可能なシステムプログラム、当該システムプログラムで実行可能な各種処理プログラム、これら各種処理プログラムを実行する際に使用されるデータ、ＣＰＵ２０１によって演算処理された処理結果のデータ等を記憶する。なお、プログラムは、コンピュータが読み取り可能なプログラムコードの形で記憶部２０４に記憶されている。
【００２１】
リモコン受信部１８は、リモコン１８ａから送信された操作信号を受信して、制御部２０に出力する。
リモコン１８ａは、ディスプレイ装置１００を遠隔操作するリモートコントローラである。リモコン１８ａは、各種操作ボタンを備えており、ユーザにより操作ボタンが操作されると、所定の操作信号を送信するよう構成されている。
【００２２】
チューナ１１は、制御部２０から入力される制御信号に従って、テレビジョン放送波からテレビジョン放送信号（例えば、地上デジタル放送信号、ＢＳデジタル放送信号、ＣＳデジタル放送信号）を受信する。
具体的には、アンテナ１１ａは、例えば、地上デジタル放送と、ＢＳデジタル放送と、ＣＳデジタル放送と、を受信可能に構成されている。チューナ１１は、そのアンテナ１１ａにより受信されたテレビジョン放送波から、所望の番組のチャンネルに対応する特定周波数帯域に存在するテレビジョン放送信号を受信し、そして、当該受信したテレビジョン放送信号を変調して、中間周波信号を信号復調部１２に出力する。
【００２３】
信号復調部１２は、制御部２０から入力される制御信号に従って、チューナ１１から入力されたテレビジョン放送信号（中間周波信号）に対してデジタル復調や誤り訂正などの所定の処理を施して、トランスポートストリームを録画制御部１３又は出力制御部１５に出力する。
【００２４】
録画制御部１３は、制御部２０から入力される制御信号に従って、チューナ１１により受信されたテレビジョン放送信号に基づく番組を、ＨＤＤ１４に録画させる。
具体的には、録画制御部１３は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータにエンコード等の所定の処理を施して、ＨＤＤ１４に録画させる。
【００２５】
メモリ部１９は、例えば、図４に示すように、ＥＰＧデータ記憶ファイル１９ａと、予約番組情報記憶ファイル１９ｂと、を備えている。
ＥＰＧデータ記憶ファイル１９ａは、ＥＰＧ（Electric Program Guide）データを記憶する。このＥＰＧデータ記憶ファイル１９ａに記憶されているＥＰＧデータは、制御部２０がＥＰＧ画面を映像表示部１７ｂにＯＳＤ表示させる際等に使用される。
予約番組情報記憶ファイル１９ｂは、ユーザによるリモコン１８ａ操作により指定された録画予約番組の番組情報（例えば、タイトル、チャンネル、放送局、ジャンル、放送時刻（放送開始時刻・放送終了時刻）、出演者、番組内容等）を記憶する。
より具体的には、ユーザは、リモコン１８ａを操作して、映像表示部１７ｂにＯＳＤ表示されたＥＰＧ画面において今から録画する番組や録画予約番組を指定したり、番組の放送時刻（放送開始時刻・放送終了時刻）等を入力することによって今から録画する番組や録画予約番組を指定したりする。また、ユーザは、リモコン１８ａを操作して、その指定した録画予約番組を、例えば、毎週予約するよう指定することもできる。
そして、録画予約番組が指定されると、制御部２０は、例えば、その指定された番組の番組情報（ＳＩ）を、メモリ部１９のＥＰＧデータ記憶ファイル１９ａから取得して、メモリ部１９の予約番組情報記憶ファイル１９ｂに予約番組情報を記憶させるようになっている。この予約番組情報に基づいて制御部２０に制御される録画制御部１３によってＨＤＤ１４に番組の録画が行われる。
【００２６】
ＨＤＤ１４は、録画制御部１３により録画された番組を記憶する。
なお、番組は、例えば、当該番組の録画時刻や当該番組の番組情報とともにＨＤＤ１４に記録されるようになっている。
【００２７】
ディスクドライブ装置３０は、例えば、ＢＤ（Blu-ray Disc）やＤＶＤ（Digital Versatile Disc）に記録されたコンテンツの映像や音声に関するディスク記録信号を再生する。
【００２８】
出力制御部１５は、制御部２０から入力される制御信号に従って、チューナ１１により受信されたテレビジョン放送信号に基づく番組を表示装置２の出力部１７から出力する放映を行うため、そのテレビジョン放送信号を表示装置２に伝送するように、テレビジョン放送信号を含む光を投光部１ａに出力させる。
具体的には、出力制御部１５は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータを、音声データ、映像データ、ＰＳＩ（Program Specific Information：番組特定情報）、ＳＩ（Service Information：番組配列情報）等の複数のストリームに分離する。
そして、出力制御部１５は当該分離された音声データにデコード等の所定の処理を施して、その音声データを含む信号光を投光部１ａに出力させる。また、出力制御部１５は当該分離された映像データにデコード等の所定の処理を施して、その映像データを含む信号光を投光部１ａに出力させる。
【００２９】
ここで、ＰＳＩは、例えば、ＰＭＴ（Program Map Table）、ＰＡＴ（Program Association Table）、ＮＩＴ（Network Information Table）、ＣＡＴ（Conditional Access Table）等のテーブルから構成されている。ＰＭＴ内には、著作権保護方式（例えば、ダビング１０方式、コピーワンス方式、コピーネバー方式、コピーフリー方式）を識別する記述子が記載されている。制御部２０は、このＰＳＩ（ＰＭＴ）によって、例えば、コピー可能回数及び／又はムーブ可能回数に制限のある番組であるか否か判定するようになっている。
また、ＳＩは、ＳＤＴ（Service Description Table）、ＥＩＴ（Event Information Table）、ＢＡＴ（Bouquet Association Table）、ＴＤＴ（Time Date Table）等の各種テーブル等が含まれている。ＥＩＴには、現在放送中の番組及び８日以内に放送予定の番組に関する番組情報（例えば、タイトル、チャンネル、放送局、ジャンル、放送時刻（放送開始時刻・放送終了時刻）、出演者、番組内容等）が記述されている。制御部２０は、このＳＩを、例えば、ＥＰＧ（Electric Program Guide）データとしてメモリ部１９のＥＰＧデータ記憶ファイル１９ａに記憶させるようになっている。
【００３０】
また、出力制御部１５は、制御部２０から入力される制御信号に従って、ＨＤＤ１４に記録されている録画済み番組を表示装置２の出力部１７から出力するため、その録画済み番組に関する番組信号を表示装置２に伝送するように、番組信号の音声データを含む信号光と、番組信号の映像データを含む信号光とを、投光部１ａに出力させる。
また、出力制御部１５は、制御部２０から入力される制御信号に従って、ディスクドライブ装置３０で再生されたディスク記録信号に対応するコンテンツを表示装置２の出力部１７から出力するため、そのディスク記録信号を表示装置２に伝送するように、ディスク記録信号の音声データを含む信号光と、ディスク記録信号の映像データを含む信号光とを、投光部１ａに出力させる。
【００３１】
ＯＳＤ回路１６は、制御部２０から入力される制御信号に従って、表示装置２の出力部１７における映像表示部１７ｂに所定のオンスクリーンディスプレイ（ＯＳＤ）表示をさせるためのＯＳＤ表示信号を含む信号光を投光部１ａに出力させる。
【００３２】
投光部１ａは、例えば、ＬＥＤを備えており、出力制御部１５等の制御処理に従って、各種信号を含む光（信号光）を支持体３に向けて出力する。
投光部１ａは、例えば、７８５ｎｍの光を出力し、支持体３に向けて信号を含む光（信号光）を出射する。支持体３の下部であって投光部１ａと対向する位置には、図５に示すように、第１反射ミラー３ａが備えられており、投光部１ａから出射された光（信号光）を上方へ向けて反射する。第１反射ミラー３ａで反射された光（信号光）は、支持体３中を導光されて上方へ進み、図５に示すように、支持体３の上部であって回動軸２３の内部に相当する位置に備えられた第２反射ミラー３ｂに向かう。回動軸２３の下側には切欠などが設けられており光（信号光）の進行を妨げないようになっている。なお、支持体３中を導光される光（信号光）は、第１反射ミラー３ａから第２反射ミラー３ｂへ直線的に進んでもよく、また、支持体３の表面内側で反射を繰り返すように進んでもよい。そして、第２反射ミラー３ｂで反射された光（信号光）は表示装置２へ向かい、後述する受光部２ａに入射される。こうして支持体３中、２．５〜３．５［Ｇｂｐｓ］の光伝送が行われる。
なお、投光部１ａが出力する光が７８０ｎｍ以上の不可視光であれば、支持体３の透明性が維持される。また、投光部１ａが出力する光は不可視光であることに限られない。例えば、６５８ｎｍの光で光伝送を行う場合、光伝送の光路が赤く発光し、また、４０５ｎｍの光で光伝送を行う場合、光伝送の光路が青く発光することとなって、インテリアライクな趣向性に富む支持体３とすることが可能になる。
【００３３】
このような構成の装置本体１は、チューナ１１により受信された番組のテレビジョン放送信号や、ＨＤＤ１４に記録されている録画済み番組の番組信号や、ディスクドライブ装置３０で再生されるコンテンツのディスク記録信号など、各種信号が含まれる光を投光部１ａから出力して、光導波路としての支持体３を通じた光伝送を行い、表示装置２に向けて各種情報データ（音声データ、映像データ）に関する信号を伝送する。
【００３４】
次に、表示装置２について説明する。
表示装置２は、図４に示すように、受光部２ａと、映像および音声を出力する出力部１７等を備えて構成されている。出力部１７は、音声出力部１７ａと映像表示部１７ｂを備えている。
【００３５】
受光部２ａは、例えば、フォトダイオードを備えており、支持体３を通じて導光された所定の信号を含む光（信号光）を受光する。また、受光部２ａは、受光した光（信号光）から、その光に含まれる信号を取り出す信号取得部（図示省略）を有している。
そして、受光部２ａは、入力された光に含まれる信号に応じた音声データを音声出力部１７ａに出力し、信号に応じた映像データを映像表示部１７ｂに出力する。
【００３６】
出力部１７が有する音声出力部１７ａは、例えば、スピーカ機器であり、受光部２ａで受光された光に含まれる信号に応じた音声データに基づく音声を出力する。
出力部１７が有する映像表示部１７ｂは、例えば、液晶表示機器であり、受光部２ａで受光された光に含まれる信号に応じた映像データに基づく映像や、ＯＳＤ表示が合成された映像データに基づく映像を表示する。
【００３７】
このような構成の表示装置２は、装置本体１から出力されて、光導波路としての支持体３を通じて光伝送された光を受光部２ａで受光することで、その光に含まれる各種信号が入力されることとなって、それら信号中の情報データ（音声データ、映像データ）に応じた番組やコンテンツを出力する放映を行うことが可能になる。
【００３８】
以上のように、ディスプレイ装置１００は、表示装置２を透明な支持体３で支持することによって、その表示装置２が宙に浮いたように視認されるようになり、表示装置２の存在を際立たせるデザイン性が向上する。
また、この表示装置２と装置本体１とを繋ぐ電源線４は目立ち難いように支持体３の側面に沿って配されており、また、表示装置２で表示する映像などに関する信号は、その信号を含む光を伝送する光伝送方式によって装置本体１から支持体３を通じて伝送されるので、表示装置２に対する電力供給や信号伝送は安定したものになっており、表示装置２における映像の表示性能を低下させることはない。
つまり、ディスプレイ装置１００の表示装置２が宙に浮いたようなデザイン性を維持して、その表示装置２において良好な映像表示を行うことを可能にする。
【００３９】
特に、表示装置２は、映像の表示と音声の出力とを行うことに特化した構成に絞り込んでおり、ディスプレイ装置１００におけるその他チューナ１１等の構成は装置本体１側に設けることによって、表示装置２の軽量化を図っているので、光透過性を有する材料で形成された支持体３であっても問題なく表示装置２を支えることが可能になっている。
また、比較的軽い表示装置２であるので、回動軸２３によって回動可能に軸支された表示装置２を回転させやすくなっており、表示装置２の配置の切り替えを容易に行うことができる。そして、映像表示部１７ｂに表示する映像の表示様式や、ユーザの姿勢に応じて表示装置２の配置を横向きや縦向きに容易に切り替えることができる。
【００４０】
なお、本発明は上記実施形態に限られるものではない。
例えば、図６に示すように、支持体３の下部に装置本体１が入り込むように、支持体３と装置本体１を接続し、装置本体１から上方に向けられた投光部１ａと、支持体３の上部に連結されている回動軸２３内に相当する位置で下方に向けられた受光部２ａと、を備えるようにして、上記のような反射ミラーを備えない構成としてもよい。
そして、装置本体１上方の支持体３に向けて投光部１ａから上向きに光（信号光）を出射して、支持体３中を導光された光（信号光）を受光部２ａに入射させる光伝送を行うようにすればよい。
【００４１】
なお、以上の実施の形態においては、表示装置２の配置は、横向き（０°）と縦向き（９０°）とに切り替えられるとしたが、本発明はこれに限定されるものではなく、例えば０°〜９０°の任意の角度で表示装置２を傾けた配置に調整する角度調整を行うようにしてもよい。
【００４２】
また、その他、具体的な細部構造等についても適宜に変更可能であることは勿論である。
【符号の説明】
【００４３】
１      装置本体（信号処理部）
１ａ    投光部
２      表示装置（表示部）
２ａ    受光部
３      支持体
４      電源線
４１、４２  導電線
１５    出力制御部
１７    出力部
１７ａ  音声出力部
１７ｂ  映像表示部
１００  ディスプレイ装置
【図１】
2011064932.tif 000003
【図２】
2011064932.tif 000004
【図３】
2011064932.tif 000005
【図４】
2011064932.tif 000006
【図５】
2011064932.tif 000007
【図６】
2011064932.tif 000008